【手続補正書】
【提出日】平成15年7月29日(2003.7.29)
【手続補正１】
【補正対象書類名】明細書
【補正対象項目名】特許請求の範囲
【補正方法】変更
【補正の内容】
【特許請求の範囲】
【請求項１】
印刷ジョブデータを受信するための受信手段と、
用紙上に印刷を行なうための印刷実行手段と、
前記受信手段によって受信された印刷ジョブデータを一時記憶するための印刷ジョブデータ記憶手段と、
前記印刷ジョブデータ記憶手段に記憶された１つ以上の印刷ジョブデータのそれぞれに対して、その印刷ジョブデータの所定基準でのサイズを表すサイズ情報を記憶するためのサイズ情報記憶手段と、
前記印刷実行手段を利用していないときに前記受信手段によって印刷ジョブデータが受信された場合には、その印刷ジョブデータに応じた印刷を前記印刷実行手段を利用して行ない、前記印刷実行手段を利用しているときに前記受信手段によって印刷ジョブデータが受信された場合には、その印刷ジョブデータを前記印刷ジョブデータ記憶手段に記憶するとともに、その印刷ジョブデータの前記所定基準でのサイズを表すサイズ情報を前記サイズ情報記憶手段に記憶し、前記印刷実行手段を利用した或る印刷ジョブデータの印刷が完了した際には、前記印刷ジョブデータ記憶手段から、前記サイズ情報記憶手段に記憶されているサイズ情報が最も小さなサイズであることを示している印刷ジョブデータを読み出して、その印刷ジョブデータの印刷を前記印刷実行手段を利用して行なう制御手段
とを備えることを特徴とする印刷装置。
【請求項２】
前記サイズが前記印刷ジョブデータのデータサイズである
ことを特徴とする請求項１記載の印刷装置。
【請求項３】
前記サイズが前記印刷ジョブデータのページ数である
ことを特徴とする請求項１記載の印刷装置。
【請求項４】
前記受信手段によって受信される印刷ジョブデータが、送信者の識別が可能なデータであり、
前記印刷実行手段を利用して印刷を行なったページ数を、送信者別に管理するページ数管理手段を、さらに、備え、
前記制御手段は、前記印刷実行手段を利用しているときに前記受信手段によって印刷ジョブデータが受信された場合には、その印刷ジョブデータを前記印刷ジョブデータ記憶手段に記憶するとともに、その印刷ジョブデータの送信者に関して前記ページ数管理手段によって管理されているページ数を表すサイズ情報を前記サイズ情報記憶手段に記憶する
ことを特徴とする請求項１記載の印刷装置。
【請求項５】
印刷ジョブデータを受信するための受信手段と、
用紙上に印刷を行なうための印刷実行手段と、
この印刷実行手段による印刷に使用される画像形成材の残量を管理する残量管理手段と、
前記受信手段によって受信された印刷ジョブデータを一時記憶するための印刷ジョブデータ記憶手段と、
前記印刷ジョブデータ記憶手段に記憶された１つ以上の印刷ジョブデータの受信順を管理する受信順管理手段と、
前記印刷実行手段を利用していないときに前記受信手段によって印刷ジョブデータが受信された場合には、その印刷ジョブデータに応じた印刷を前記印刷実行手段を利用して行ない、前記印刷実行手段を利用しているときに前記受信手段によって印刷ジョブデータが受信された場合には、その印刷ジョブデータを前記印刷ジョブデータ記憶手段に記憶し、前記印刷実行手段を利用した或る印刷ジョブデータの印刷が完了した際には、前記受信順管理手段で管理されている受信順を参照することにより、前記印刷ジョブデータ記憶手段内の、その時点において前記残量管理手段が管理している前記画像形成剤の残量でその全てを印刷可能な印刷ジョブデータの中から、最も過去に前記印刷ジョブデータ記憶手段への記憶が行われた印刷ジョブデータを読み出して、その印刷ジョブデータの印刷を前記印刷実行手段を利用して行なう制御手段
とを備えることを特徴とする印刷装置。
【請求項６】
プリンタを利用可能なコンピュータを、
印刷ジョブデータを受信するための受信手段と、
前記受信手段によって受信された印刷ジョブデータを一時記憶するための印刷ジョブデータ記憶手段と、
前記印刷ジョブデータ記憶手段に記憶された１つ以上の印刷ジョブデータのそれぞれに対して、その印刷ジョブデータの所定基準でのサイズを表すサイズ情報を記憶するためのサイズ情報記憶手段と、
前記プリンタを利用していないときに前記受信手段によって印刷ジョブデータが受信された場合には、その印刷ジョブデータを前記プリンタに転送し、前記プリンタを利用しているときに前記受信手段によって印刷ジョブデータが受信された場合には、その印刷ジョブデータを前記印刷ジョブデータ記憶手段に記憶するとともに、その印刷ジョブデータの前記所定基準でのサイズを表すサイズ情報を前記サイズ情報記憶手段に記憶し、前記プリンタを利用した或る印刷ジョブデータの印刷が完了した際には、前記印刷ジョブデータ記憶手段から、前記サイズ情報記憶手段に記憶されているサイズ情報が最も小さなサイズであることを示している印刷ジョブデータを読み出して、その印刷ジョブデータを前記プリンタに送信する制御手段
とを備える装置として動作させることを特徴とするプリントサーバプログラム。
【請求項７】
印刷に利用する画像形成材の残量を出力する機能を有するプリンタを利用可能なコンピュータを、
印刷ジョブデータを受信するための受信手段と、
前記受信手段によって受信された印刷ジョブデータを一時記憶するための印刷ジョブデータ記憶手段と、
前記印刷ジョブデータ記憶手段に記憶された１つ以上の印刷ジョブデータの受信順を管理する受信順管理手段と、
前記プリンタを利用していないときに前記受信手段によって印刷ジョブデータが受信された場合には、その印刷ジョブデータを前記プリンタに転送し、前記プリンタを利用しているときに前記受信手段によって印刷ジョブデータが受信された場合には、その印刷ジョブデータを前記印刷ジョブデータ記憶手段に記憶し、前記プリンタを利用した或る印刷ジョブデータの印刷が完了した際には、前記プリンタから前記画像形成材の残量を取得するとともに、前記受信順管理手段によって管理されている受信順を参照することにより、前記印刷ジョブデータ記憶手段内の、取得した残量でその全てを印刷可能な印刷ジョブデータの中から最も過去に印刷ジョブデータ記憶手段への記憶が行われた印刷ジョブデータを読み出して、その印刷ジョブデータを前記プリンタに送信する制御手段
とを備える装置として動作させることを特徴とするプリントサーバプログラム。
【請求項８】
前記制御手段は、前記印刷実行手段に印刷を行わせていない印刷ジョブデータのそれぞれについて、その印刷ジョブデータよりも後に受信されたが前記印刷実行手段に既に印刷を行わせた印刷ジョブデータの数である後回し回数を管理し、前記印刷実行手段を利用した或る印刷ジョブデータの印刷が完了した際に、後回し回数が所定値以上となっている幾つかの印刷ジョブデータが存在していた場合には、前記印刷ジョブデータ記憶手段に記憶されている、当該幾つかの印刷ジョブデータの中のいずれかの印刷を前記印刷実行手段を利用して行なう
ことを特徴とする請求項１記載の印刷装置。
【請求項９】
前記制御手段は、前記プリンタに印刷を行わせていない印刷ジョブデータのそれぞれについて、その印刷ジョブデータよりも後に受信されたが前記プリンタに既に印刷を行わせた印刷ジョブデータの数である後回し回数を管理し、前記プリンタを利用した或る印刷ジョブデータの印刷が完了した際に、後回し回数が所定値以上となっている幾つかの印刷ジョブデータが存在していた場合には、前記印刷ジョブデータ記憶手段に記憶されている、当該幾つかの印刷ジョブデータの中のいずれかを前記プリンタに送信する
ことを特徴とする請求項６記載のプリントサーバプログラム。
【手続補正２】
【補正対象書類名】明細書
【補正対象項目名】００１４
【補正方法】変更
【補正の内容】
【００１４】
そして、上記第２の課題を解決するために、本発明のプリントサーバプログラムは、プリンタを利用可能なコンピュータを、印刷ジョブデータを受信するための受信手段と、受信手段によって受信された印刷ジョブデータを一時記憶するための印刷ジョブデータ記憶手段と、印刷ジョブデータ記憶手段に記憶された１つ以上の印刷ジョブデータのそれぞれに対して、その印刷ジョブデータの所定基準でのサイズを表すサイズ情報を記憶するためのサイズ情報記憶手段と、プリンタを利用していないときに受信手段によって印刷ジョブデータが受信された場合には、その印刷ジョブデータをプリンタに転送し、プリンタを利用しているときに受信手段によって印刷ジョブデータが受信された場合には、その印刷ジョブデータを印刷ジョブデータ記憶手段に記憶するとともに、その印刷ジョブデータの所定基準でのサイズを表すサイズ情報をサイズ情報記憶手段に記憶し、プリンタを利用した或る印刷ジョブデータの印刷が完了した際には、印刷ジョブデータ記憶手段から、サイズ情報記憶手段に記憶されているサイズ情報が最も小さなサイズであることを示している印刷ジョブデータを読み出して、その印刷ジョブデータをプリンタに送信する制御手段とを備える装置として動作させることが出来るように、作成される。


【手続補正３】
【補正対象書類名】明細書
【補正対象項目名】００１５
【補正方法】変更
【補正の内容】
【００１５】
また、上記第２の課題を解決するために、本発明の他の態様のプリントサーバプログラムは、印刷に利用する画像形成材の残量を出力する機能を有するプリンタを利用可能なコンピュータを、印刷ジョブデータを受信するための受信手段と、受信手段によって受信された印刷ジョブデータを一時記憶するための印刷ジョブデータ記憶手段と、印刷ジョブデータ記憶手段に記憶された１つ以上の印刷ジョブデータの受信順を管理する受信順管理手段と、プリンタを利用していないときに受信手段によって印刷ジョブデータが受信された場合には、その印刷ジョブデータをプリンタに転送し、プリンタを利用しているときに受信手段によって印刷ジョブデータが受信された場合には、その印刷ジョブデータを印刷ジョブデータ記憶手段に記憶し、プリンタを利用した或る印刷ジョブデータの印刷が完了した際には、プリンタから画像形成材の残量を取得するとともに、受信順管理手段によって管理されている受信順を参照することにより、印刷ジョブデータ記憶手段内の、取得した残量でその全てを印刷可能な印刷ジョブデータの中から最も過去に印刷ジョブデータ記憶手段への記憶が行われた印刷ジョブデータを読み出して、その印刷ジョブデータをプリンタに送信する制御手段とを備える装置として動作させることが出来るように作成される。


【手続補正４】
【補正対象書類名】明細書
【補正対象項目名】００３７
【補正方法】変更
【補正の内容】
【００３７】
一方、印刷待機ジョブデータ３０が存在していた場合（ステップＳ２０２；ＹＥＳ）、後回し回数が規定値ｎ（本実施形態では、ｎ＝３）以上の印刷待機ジョブデータ３０が存在しているか否かを判断する（ステップＳ２０３）。そして、後回し回数が規定値ｎ以上の印刷待機ジョブデータ３０が存在していなかった場合（ステップＳ２０３；ＮＯ）、制御部１１は、印刷順が“１”となっている印刷待機ジョブデータ３０を処理対象ジョブデータとして特定する（ステップＳ２０４）。また、このステップＳ２０４において、制御部１１は、処理対象ジョブデータとして特定した印刷待機ジョブデータ３０に関するジョブ管理情報をジョブ管理テーブル３５から削除する処理、ジョブ管理テーブル３５内の各管理情報内の印刷順を“１”デクリメントする処理も行なう。